(57)【要約】【課題】ステータの外形を小さくし、小型化を図る。【解決手段】ロータ１の周囲を囲むステータ２の環状部２−０を円弧状とする。このステータ２の円弧状の環状部２−０の一方の周端部２ａと他方の周端部２ｂとの間の内周部の中央にティース２−１を設け、周端部２ａ，２ｂの内周部にティース２−２，２−３を設ける。ティース２−１に励磁用巻線３を巻回し、ティース２−２，２−３に検出用巻線４−１，４−２を巻回する。【選択図】  図１
2015125038.tif 000002
【特許請求の範囲】
【請求項１】
検出対象の角度変化に応じて回転する磁性体よりなるロータと、このロータを囲むようにして設けられた磁性体よりなるステータとを備え、前記ロータの回転によって生じる前記ステータとの間のギャップの変化に応じて前記検出対象の回転角度を検出する回転角度検出器において、
前記ステータは、
前記ロータの周囲をその一部に欠損を設けて囲む環状部を有し、
前記環状部の一方の周端部と他方の周端部との間の内周部に前記ロータの中心に向かう第１の凸部が設けられ、
前記一方の周端部および他方の周端部の内周部に前記ロータの中心に向かう第２および第３の凸部が設けられ、
前記第１の凸部に励磁用巻線が巻回され、
前記第２および第３の凸部にそれぞれ検出用巻線が巻回されている
ことを特徴とする回転角度検出器。
【請求項２】
請求項１に記載された回転角度検出器において、
前記ステータは、
前記第１の凸部と前記第２の凸部とが前記ステータの周方向に１２０゜以下の間隔を隔てて配置され、
前記第１の凸部と前記第３の凸部とが前記ステータの周方向に１２０゜以下の間隔を隔てて配置されている
ことを特徴とする回転角度検出器。
【請求項３】
請求項１に記載された回転角度検出器において、
前記ステータの環状部は、円弧状または「コ」字状とされている
ことを特徴とする回転角度検出器。  
【請求項４】
ボール弁の弁体を回転操作して、前記ボール弁を通過する流体の流量を制御するアクチュエータにおいて、
前記ボール弁の実開度を検出する実開度センサとして請求項１〜３の何れか１項に記載された回転角度検出器を備えている
ことを特徴とするアクチュエータ。
【発明の詳細な説明】
【技術分野】
【０００１】
この発明は、ロータの回転によって生じるステータとの間のギャップの変化に応じて検出対象の回転角度を検出する回転角度検出器およびこの回転角度検出器を用いたアクチュエータに関するものである。
【背景技術】
【０００２】
従来より、例えば、電動バルブアクチュエータの回転角度の検出には、ポテンショメータが用いられている。一般的なポテンショメータの構造は、抵抗体、シャフト、電極およびそれらを包むケース、カバーなどで構成され、構成がシンプルなため、安価であり、内部に電子回路を有さないため、ノイズに強いという特徴がある。しかし、ポテンショメータは、抵抗体と電極が常に接触、摺動しており、経年劣化でひげ状のノイズが発生するという欠点がある。
【０００３】
これに対して、レゾルバと呼ばれる回転角度検出器が存在する（例えば、特許文献１参照）。特許文献１に示されたレゾルバでは、図７に示すように、円環状のステータ１０の内周にティース（凸部）１１が周方向に配列されて形成されており、このステータ１０内に非真円形状のロータ２０が位置し、ロータ２０は回転中心Ｏを中心に回転する。そして、ティース１１は９０°間隔で４つ形成されており、これらのティース１１に図示されていない励磁用巻線と検出用巻線とが巻回される。
【０００４】
ステータ１０及びロータ２０は磁性体よりなり、ロータ２０は巻線を持たない構造となっている。そして、ステータ１０とロータ２０との間のギャップパーミアンスがロータ２０の回転に伴って正弦波状に変化するようにロータ２０の形状が構成され、これによりロータ２０の３６０°内の任意の回転角度を検出可能としている。
【先行技術文献】
【特許文献】
【０００５】
【特許文献１】特開２００８−１６４４３５号公報
【発明の概要】
【発明が解決しようとする課題】
【０００６】
上述したレゾルバは、ボール弁の実開度を検出する実開度センサとしても用いることができるが、ボール弁の弁体（ボール状の弁体）は弁軸に対して０°から９０°を越える程度（例えば１０５°、１２０°）までしか回転しないので、検出すべき回転角度はこの範囲で十分であり、３６０°内の任意の回転角度を検出できる必要はない。
【０００７】
また、ボール弁は狭いスペースでも設置できることが望ましく、小型化が求められるため、ボール弁の弁体を回転操作してボール弁を通過する流体の流量を制御する電動バルブアクチュエータ内に搭載される部品も小型化が求められ、実開度センサとして電動バルブアクチュエータ内に搭載されるレゾルバも性能を落とさずに小型化が求められている。しかしながら、レゾルバのステータは円環状であるので大型となり、レゾルバを搭載する電動バルブアクチュエータの内部空間はステータの円環の外径で規定される円形のスペースを必要とする。
【０００８】
本発明は、このような課題を解決するためになされたもので、その目的とするところは、ステータの外形を小さくし、小型化を図ることができる回転角度検出器を提供することにある。
【課題を解決するための手段】
【０００９】
このような目的を達成するために本発明は、検出対象の角度変化に応じて回転する磁性体よりなるロータと、このロータを囲むようにして設けられた磁性体よりなるステータとを備え、ステータは、ロータの周囲をその一部に欠損を設けて囲む環状部を有し、環状部の一方の周端部と他方の周端部との間の内周部にロータの中心に向かう第１の凸部が設けられ、一方の周端部および他方の周端部の内周部にロータの中心に向かう第２および第３の凸部が設けられ、第１の凸部に励磁用巻線が巻回され、第２および第３の凸部にそれぞれ検出用巻線が巻回されていることを特徴とする。
【００１０】
本発明において、ステータは、例えば、第１の凸部と第２の凸部とをステータの周方向に１２０゜以下の間隔を隔てて配置し、第１の凸部と第３の凸部とをステータの周方向に１２０゜以下の間隔を隔てて配置した構造とする。この場合、ステータには、その環状部に１２０゜以上の欠損が設けられる。
【発明の効果】
【００１１】
本発明によれば、ステータのロータを囲む環状部の一部に欠損を設け、ステータの環状部の一方の周端部と他方の周端部との間の内周部に第１の凸部を設け、ステータの一方の周端部および他方の周端部の内周部に第２および第３の凸部を設け、第１の凸部に励磁用巻線を巻回し、第２および第３の凸部にそれぞれ検出用巻線を巻回するようにしたので、ステータの外形を小さくし、小型化を図ることができるようになる。
【図面の簡単な説明】
【００１２】
【図１】本発明に係る回転角度検出器の一実施の形態の要部を示す平面図である。
【図２】この回転角度検出器に用いるロータの平面図および断面図である。
【図３】このロータの外形（周縁）の曲率について説明する図である。
【図４】ロータの回転角度と出力電圧Ｖ１およびＶ２との関係を例示する図である。
【図５】励磁用巻線および検出用巻線を空芯コイルとしてティースに差し込むようにした例を示す斜視図である。
【図６】ステータの環状部を「コ」字状とした例を示す図である。
【図７】特許文献１に示されたレゾルバの要部を示す図である。
【発明を実施するための形態】
【００１３】
以下、本発明の実施の形態を図面に基づいて詳細に説明する。図１は本発明に係る回転角度検出器の一実施の形態の要部を示す平面図である。
【００１４】
図１において、１は検出対象の角度変化に応じて回転する磁性体よりなるロータ（センサディスク）、２はこのロータ１を囲むようにして設けられた磁性体よりなるステータ（ピックアップ）である。
【００１５】
ロータ１は、その中央部に検出対象の回転軸（図示せず）と嵌合する嵌合孔１ａが設けられており、点Ｏ１を中心として検出対象の角度変化に応じて回転する。図２（ａ）にロータ１の平面図を、図２（ｂ）に図２（ａ）におけるＩ−Ｉ線断面図を示す。
【００１６】
また、ロータ１の周面は、１２０゜毎に曲率が変わっている。図３にロータ１の周面の曲率について説明する図を示す。図３に示すように、ロータ１に対して点Ｏ１を原点とするｘ軸とｙ軸とを定め、ｘ軸から半時計方向への角度をθとした場合、−９０゜≦θ≦３０゜までの１２０゜の範囲Ｔ１ではロータ１の周面（以下、周縁Ｔ１と呼ぶ）が半径ｒ１＝（１１４０−２θ）／１２０の曲線１とされ、３０゜≦θ≦１５０゜までの１２０゜の範囲Ｔ２ではロータ１の周面（以下、周縁Ｔ２と呼ぶ）が半径ｒ２＝９の曲線２とされ、１５０゜≦θ≦２７０゜までの範囲Ｔ３ではロータ１の周面（以下、周縁Ｔ３と呼ぶ）が半径ｒ３＝（７８０＋２θ）／１２０の曲線３とされている。なお、半径ｒ１，ｒ２，ｒ３は何れもその単位はｍｍであり、１／ｒ１，１／ｒ２，１／ｒ３が周縁Ｔ１，Ｔ２，Ｔ３の曲率となる。
【００１７】
一方、ステータ２は、ロータ１の周囲をその一部に欠損を設けて囲む円弧状の環状部２−０を有している。すなわち、ステータ２の環状部２−０を円環とした場合、環状部２−０の一方の周端部２ａと他方の周端部２ｂとは繋がるが、この繋がりがなく欠損とされている。本実施の形態では、環状部２−０の点Ｏ１を中心とする円弧の角度（中心角）が２４０゜とされており、周端部２ａと周端部２ｂとの間に中心角を１２０゜とする円弧状の欠損が設けられている。
【００１８】
また、ステータ２の環状部２−０の一方の周端部２ａと他方の周端部２ｂとの間の内周部の中央には、ロータ１の中心Ｏ１に向かう第１の凸部がティース２−１として設けられている。また、ステータ２の一方の周端部２ａおよび他方の周縁部２ｂの内周部に、ロータ１の中心Ｏ１に向かう第２の凸部および第３の凸部がティース２−２および２−３として設けられている。そして、第１のティース２−１に励磁用巻線３が巻回され、第２のティース２−２および第３のティース２−３に検出用巻線４−１および４−２が巻回されている。
【００１９】
この回転角度検出器１００において、ロータ１は回転角度０゜の位置において、半径ｒ２の曲線２とされている周縁Ｔ２（曲率１／ｒ２の周縁Ｔ２）がステータ２の励磁用巻線３が巻回されているティース２−１に対向し、半径ｒ１の曲線１とされている周縁Ｔ１（曲率１／ｒ１の周縁Ｔ１）が検出用巻線４−１が巻回されているティース２−２に対向し、半径ｒ３の曲線３とされている周縁Ｔ３（曲率１／ｒ３の周縁Ｔ３）が検出用巻線４−２が巻回されているティース２−３に対向している。
【００２０】
この回転角度検出器１００において、ロータ１が±６０゜の範囲で回転すると、ロータ１の周縁Ｔ２の曲率は１／ｒ２で全て等しくされていることから、ステータ２のティース２−１とロータ１の周縁Ｔ２との間のギャップを一定に保った状態で、ステータ２のティース２−２とロータ１の周縁Ｔ１との間のギャップおよびステータ２のティース２−３とロータ１の周縁Ｔ３との間のギャップが変化する。
【００２１】
この回転角度検出器１００では、励磁用巻線３に励磁電流が供給され、検出用巻線４−１および４−２から出力電圧Ｖ１およびＶ２が得られる。図４にロータ１の回転角度と検出用巻線４−１および４−２から得られる出力電圧Ｖ１およびＶ２との関係を例示する。
【００２２】
図１に示した状態は、ロータ１の回転角度が０゜である場合であり、検出用巻線４−１および４−２から得られる出力電圧Ｖ１およびＶ２は等しい。ロータ１を時計方向に回転すると、すなわちロータ１を＋６０゜の方向へ回転すると、検出用巻線４−１から得られる出力電圧Ｖ１が上昇し、検出用巻線４−２から得られる出力電圧Ｖ２が下降する。反対に、ロータ１を反時計方向に回転すると、すなわちロータ１を−６０゜の方向へ回転すると、検出用巻線４−１から得られる出力電圧Ｖ１が下降し、検出用巻線４−２から得られる出力電圧Ｖ２が上昇する。
【００２３】
このように、検出用巻線４−１および４−２から得られる出力電圧Ｖ１およびＶ２はロータ１の回転中心（０゜）に対して対称となるので、この出力電圧Ｖ１とＶ２との差分をΔＶ＝Ｖ１−Ｖ２として得ることにより、±６０゜の回転角度範囲において検出対象の回転角度に応じたリニアな差電圧ΔＶが得られるものとなる。この場合、±６０゜の回転角度範囲において、ステータ２のティース２−１とロータ１の周縁Ｔ２との間のギャップは一定に保たれることから、励磁電流や励磁電圧を一定に保つ工夫を行う必要はない。
【００２４】
ボール弁の弁体を回転操作してボール弁を通過する流体の流量を制御する電動バルブアクチュエータにおいて、ボール弁の実開度を検出する実開度センサとして必要な角度検出範囲は０゜から９０゜を越える程度（例えば１０５°、１２０°）である。
【００２５】
本実施の形態の回転角度検出器１００は、このような電動バルブアクチュエータの必要な角度検出範囲に特化することで、ステータ２の環状部２−０の一方の周端部２ａと他方の周端部２ｂとの間に欠損を設け、すなわちステータ２の外周の一部は磁気回路として不要であるために環状部２−０を円環ではなく一部に欠損を有する円弧状とすることにより、ステータ２の外形を小さくし、小型化を図るとともに、構造の簡素化を図っている。また、ロータ１の周縁Ｔ２の曲率を等しくして、励磁電流や励磁電圧を一定に保つ回路を不要とし、回転角度検出器１００のコストダウンを図っている。また、この回転角度検出器１００の小型化により、この回転角度検出器１００を実開度センサとして搭載する電動バルブアクチュエータ自体の小型化も図られる。
【００２６】
なお、本実施の形態において、励磁用巻線３および検出用巻線４−１，４−２は独立しており、ステータ２のティース２−１および２−２，２−３に直線的に配置されるので、ティース２−１および２−２，２−３に直接巻き付けずに、予め外部で作った空芯コイルを差し込むようにしてもよい。
【００２７】
励磁用巻線３および検出用巻線４−１，４−２を空芯コイルとしてティース２−１および２−２，２−３に差し込むようにした例を図５に示す。空芯コイルとして差し込む場合でも、励磁用巻線３および検出用巻線４−１，４−２がティース２−１および２−２，２−３に巻回されていることに変わりはない。
【００２８】
また、上述した実施の形態では、ステータ２の環状部２−０を円弧状としたが、図６に示すように「コ」字状としてもよい。「コ」字状とした環状部２−０でも、その一方の周端部２ａと他方の周端部２ｂとの間に欠損が設けられ、この欠損の分だけスタータ２の外形が小さくなり、小型化が図られる。また、ロータ１の周縁Ｔ２の曲率を等しくすることにより、±６０゜の回転角度範囲において、ステータ２のティース２−１とロータ１の周縁Ｔ２との間のギャップが一定に保たれる。
【００２９】
また、上述した実施の形態では、曲率を等しくするロータ１の周縁Ｔ２の角度を１２０゜としたが、必ずしも１２０゜としなくてもよい。例えば、計測範囲が小さい場合、ロータ１の周縁Ｔ２の角度を小さくするようにし、ティース２−１に対してティース２−２，２−３を近づけるようにしてもよい。
【００３０】
また、本発明に係る静電容量型角度は、電動バルブアクチュエータに限らず、適用温度範囲が比較的広く、スペースに余裕がないような装置において広く活用することが可能である。また、角度の検出部の構造はシンプルでギャップは一般的な型物の精度で保障されるため、個体差を少なくすることが可能である。
【００３１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００３２】
１…ロータ（センサディスク）、１ａ…嵌合孔、２…ステータ（ピックアップ）、２−０…環状部、２ａ…一方の周端部、２ｂ…他方の周端部、２−１，２−２，２−３…ティース（凸部）、３…励磁用巻線、４−１，４−２…検出用巻線。
【図１】
2015125038.tif 000003
【図２】
2015125038.tif 000004
【図３】
2015125038.tif 000005
【図４】
2015125038.tif 000006
【図５】
2015125038.tif 000007
【図６】
2015125038.tif 000008
【図７】
2015125038.tif 000009